【手続補正書】
【提出日】平成29年3月13日(2017.3.13)
【手続補正１】
【補正対象書類名】特許請求の範囲
【補正対象項目名】請求項１
【補正方法】変更
【補正の内容】
【請求項１】
透液性の上層シート部と、吸液性の下層シート部と、前記上層シート部と前記下層シート部との間に介在してこれら前記両シート部どうしを接合するホットメルト接着剤とを含み、食品を載せて前記食品から生じるドリップを吸収可能であり、二組の互いに平行な二辺によって形成されている四角形の吸収性シートであって、
前記上層シート部が熱可塑性合成繊維および熱可塑性合成樹脂フィルムのいずれかで形成される一方、前記下層シート部が吸水性繊維によって形成されていて、
前記ホットメルト接着剤は、前記ホットメルト接着剤の樹脂成分を形成しているゴム系樹脂成分とオレフィン系樹脂成分との配合比が質量を基準にしたときに３０：７０−７０：３０の範囲にあるものであり、前記上層シート部および前記下層シート部のいずれかに対する単位面積当たりの質量が１−３ｇ／ｍ２の範囲にあって、幅が３０−１００μｍの範囲にある糸状のものとして塗布されていることを特徴とする吸収性シート。
【手続補正２】
【補正対象書類名】特許請求の範囲
【補正対象項目名】請求項５
【補正方法】変更
【補正の内容】
【請求項５】
透液性の上層シート部と、吸液性の下層シート部と、前記上層シート部と前記下層シート部との間に介在してこれら前記両シート部どうしを接合するホットメルト接着剤とを含み、食品を載せて前記食品から生じるドリップを吸収可能であり、二組の互いに平行な二辺によって形成されている四角形の吸収性シートの製造工程に、少なくとも下記工程が含まれることを特徴とする吸収性シートの製造方法：
（１）前記上層シート部を得るための熱可塑性合成繊維および熱可塑性合成樹脂フィルムのいずれかで形成された透液性の第１ウエブを機械方向へ連続的に供給する工程。
（２）前記下層シート部を得るための吸水性繊維で形成された吸液性の第２ウエブを前記機械方向へ連続的に供給する工程。
（３）前記第１，第２ウエブいずれか一方の片面に前記ホットメルト接着剤を、単位面積当たりの質量が１−３ｇ／ｍ２となる範囲において、幅が３０−１００μｍの範囲にある糸状のものとして塗布する工程。
（４）前記ホットメルト接着剤を介して前記第１，第２ウエブを接合して前記機械方向へ走行する複合ウエブを得る工程。
（５）前記複合ウエブを前記機械方向へ走行させながら前記機械方向に対する交差方向へ延びる裁断線を前記複合ウエブに周期的に形成することによって前記複合ウエブを周期的に裁断し、前記機械方向において前記吸収性シートのいずれか一辺に相当する長さを有し前記交差方向において前記吸収性シートの前記一辺に対する隣辺に相当する長さの複数倍の寸法を有する複合シートを得る工程。
（６）前記複合シートを所要枚数だけ積層して、前記複合シートの積層体を得る工程。
（７）前記積層体を前記機械方向へ走行させながら前記交差方向に所要寸法の間隔をあけて並び前記積層体の厚さ方向において往復直線運動する直状の刃物の複数を使用して、前記積層体を前記交差方向において前記隣辺に相当する長さごとに切り分けて、積層状態にある前記吸収性シートを得る工程。
【手続補正３】
【補正対象書類名】特許請求の範囲
【補正対象項目名】請求項６
【補正方法】変更
【補正の内容】
【請求項６】
前記第１ウエブが多数の液を透過可能な開孔と、前記開孔の周縁部から前記第２ウエブに向かって延びる導液管とを有するポリエチレンフィルムであり、前記第２ウエブがエアレイドパルプである請求項５記載の製造方法。
【手続補正４】
【補正対象書類名】明細書
【補正対象項目名】００１０
【補正方法】変更
【補正の内容】
【００１０】
その第１発明が対象とするところは、透液性の上層シート部と、吸液性の下層シート部と、前記上層シート部と前記下層シート部との間に介在してこれら前記両シート部どうしを接合するホットメルト接着剤とを含み、食品を載せて前記食品から生じるドリップを吸収可能であり、二組の互いに平行な二辺によって形成されている四角形の吸収性シートである。
【手続補正５】
【補正対象書類名】明細書
【補正対象項目名】００１２
【補正方法】変更
【補正の内容】
【００１２】
また、第２発明が対象とし、特徴とするところは、透液性の上層シート部と、吸液性の下層シート部と、前記上層シート部と前記下層シート部との間に介在してこれら前記両シート部どうしを接合するホットメルト接着剤とを含み、食品を載せて前記食品から生じるドリップを吸収可能であり、二組の互いに平行な二辺によって形成されている四角形の吸収性シートの製造工程に、少なくとも下記工程が含まれることを特徴とする吸収性シートの製造方法である。
（１）前記上層シート部を得るための熱可塑性合成繊維および熱可塑性合成樹脂フィルムのいずれかで形成された透液性の第１ウエブを機械方向へ連続的に供給する工程。
（２）前記下層シート部を得るための吸水性繊維で形成された吸液性の第２ウエブを前記機械方向へ連続的に供給する工程。
（３）前記第１，第２ウエブいずれか一方の片面に前記ホットメルト接着剤を、単位面積当たりの質量が１−３ｇ／ｍ２となる範囲において、幅が３０−１００μｍの範囲にある糸状のものとして塗布する工程。
（４）前記ホットメルト接着剤を介して前記第１，第２ウエブを接合して前記機械方向へ走行する複合ウエブを得る工程。
（５）前記複合ウエブを前記機械方向へ走行させながら前記機械方向に対する交差方向へ延びる裁断線を前記複合ウエブに周期的に形成することによって前記複合ウエブを周期的に裁断し、前記機械方向において前記吸収性シートのいずれか一辺に相当する長さを有し前記交差方向において前記吸収性シートの前記一辺に対する隣辺に相当する長さの複数倍の寸法を有する複合シートを得る工程。
（６）前記複合シートを所要枚数だけ積層して、前記複合シートの積層体を得る工程。
（７）前記積層体を前記機械方向へ走行させながら前記交差方向に所要寸法の間隔をあけて並び前記積層体の厚さ方向において往復直線運動する直状の刃物の複数を使用して、前記積層体を前記交差方向において前記隣辺に相当する長さごとに切り分けて、積層状態にある前記吸収性シートを得る工程。
【手続補正６】
【補正対象書類名】明細書
【補正対象項目名】００５０
【補正方法】変更
【補正の内容】
【００５０】
透液性の上層シート部と、吸液性の下層シート部と、前記上層シート部と前記下層シート部との間に介在してこれら前記両シート部どうしを接合するホットメルト接着剤とを含み、食品を載せて前記食品から生じるドリップを吸収可能であり、二組の互いに平行な二辺によって形成されている四角形の吸収性シートであって、
前記上層シート部が熱可塑性合成繊維および熱可塑性合成樹脂フィルムのいずれかで形成される一方、前記下層シート部が吸水性繊維によって形成されていて、
前記ホットメルト接着剤は、前記ホットメルト接着剤の樹脂成分を形成しているゴム系樹脂成分とオレフィン系樹脂成分との配合比が質量を基準にしたときに３０：７０−７０：３０の範囲にあるものであり、前記上層シート部および前記下層シート部のいずれかに対する単位面積当たりの質量が１−３ｇ／ｍ２の範囲にあって、幅が３０−１００μｍの範囲にある糸状のものとして塗布されていることを特徴とする。
【手続補正７】
【補正対象書類名】明細書
【補正対象項目名】００５３
【補正方法】変更
【補正の内容】
【００５３】
透液性の上層シート部と、吸液性の下層シート部と、前記上層シート部と前記下層シート部との間に介在してこれら前記両シート部どうしを接合するホットメルト接着剤とを含み、食品を載せて前記食品から生じるドリップを吸収可能であり、二組の互いに平行な二辺によって形成されている四角形の吸収性シートの製造工程に、少なくとも下記工程が含まれることを特徴とする吸収性シートの製造方法：
（１）前記上層シート部を得るための熱可塑性合成繊維および熱可塑性合成樹脂フィルムのいずれかで形成された透液性の第１ウエブを機械方向へ連続的に供給する工程。
（２）前記下層シート部を得るための吸水性繊維で形成された吸液性の第２ウエブを前記機械方向へ連続的に供給する工程。
（３）前記第１，第２ウエブいずれか一方の片面に前記ホットメルト接着剤を、単位面積当たりの質量が１−３ｇ／ｍ２となる範囲において、幅が３０−１００μｍの範囲にある糸状のものとして塗布する工程。
（４）前記ホットメルト接着剤を介して前記第１，第２ウエブを接合して前記機械方向へ走行する複合ウエブを得る工程。
（５）前記複合ウエブを前記機械方向へ走行させながら前記機械方向に対する交差方向へ延びる裁断線を前記複合ウエブに周期的に形成することによって前記複合ウエブを周期的に裁断し、前記機械方向において前記吸収性シートのいずれか一辺に相当する長さを有し前記交差方向において前記吸収性シートの前記一辺に対する隣辺に相当する長さの複数倍の寸法を有する複合シートを得る工程。
（６）前記複合シートを所要枚数だけ積層して、前記複合シートの積層体を得る工程。
（７）前記積層体を前記機械方向へ走行させながら前記交差方向に所要寸法の間隔をあけて並び前記積層体の厚さ方向において往復直線運動する直状の刃物の複数を使用して、前記積層体を前記交差方向において前記隣辺に相当する長さごとに切り分けて、積層状態にある前記吸収性シートを得る工程。
【手続補正８】
【補正対象書類名】明細書
【補正対象項目名】００５４
【補正方法】変更
【補正の内容】
【００５４】
第２発明には、以下の実施態様がある。
（１）前記第１ウエブが多数の液を透過可能な開孔と、前記開孔の周縁部から前記第２ウエブに向かって延びる導液管とを有するポリエチレンフィルムであり、前記第２ウエブがエアレイドパルプである。
（２）前記導液管は、前記第２ウエブに向かって内径が次第に小さくなるものであって、内面が親水化処理されている。
（３）前記機械方向へ回転するナイフロールを使用して前記交差方向における前記複合ウエブの裁断を前記機械方向において周期的に繰り返す。
（４）前記ホットメルト接着剤は、前記ホットメルト接着剤の樹脂成分を形成しているゴム系樹脂成分とオレフィン系樹脂成分との配合比が質量を基準にしたときに３０：７０−７０：３０の範囲にあるものである。
（５）前記ホットメルト接着剤は、軟化点が１２５−１４５℃の範囲にある。